(57)【要約】【課題】転送手段の設定が容易で、操作性に優れる再生装置を提供する。【解決手段】再生装置のメイン制御部１０２は、特定のデータフォーマットに対応する転送手段を起動する転送手段起動手段と、データフォーマットを変更するためのデータフォーマット変更手段との機能を備える。また、データフォーマット変更手段によりデータフォーマットが変更されたか否かを解析するデータフォーマット解析手段の機能を備える。また、データフォーマット解析手段によりデータフォーマットが変更されたと解析された場合は、変更された新たなデータフォーマットに対応する転送手段を起動する転送手段再起動手段の機能を備える。【選択図】図５
2008148217.tif 000002
【特許請求の範囲】
【請求項１】
転送手段により外部機器との間でデータの送受信を行うことができる再生装置において、
特定のデータフォーマットに対応する前記転送手段を起動する転送手段起動手段と、
前記データフォーマットを変更するためのデータフォーマット変更手段と、
前記データフォーマット変更手段により前記データフォーマットが変更されたか否かを解析するデータフォーマット解析手段と、
前記データフォーマット解析手段により前記データフォーマットが変更されたと解析された場合は、変更された新たな前記データフォーマットに対応する前記転送手段を起動する転送手段再起動手段と、
を備えることを特徴とする再生装置。
【請求項２】
前記データフォーマット変更手段は、物理的なスイッチ又は表示手段に表示される画面のソフトウェアスイッチであることを特徴とする請求項１記載の再生装置。
【請求項３】
前記転送手段はＰＴＰ、ＭＳＣ、ＨＴＴＰ、ＦＴＰ、ＭＴＰの何れかであることを特徴とする請求項１記載の再生装置。
【請求項４】
前記データフォーマットは、動画及び静止画に関するデータフォーマットであることを特徴とする請求項１記載の再生装置。
【請求項５】
前記動画のデータフォーマットは、ＭＰＥＧ、ＡＶＩ形式のデータフォーマットであり、前記静止画のデータフォーマットは、ＪＰＥＧ、ＲＡＷ形式のデータフォーマットであることを特徴とする請求項４記載の再生装置。
【請求項６】
転送手段により外部機器との間でデータの送受信を行うことができる再生方法において、
特定のデータフォーマットに対応する前記転送手段を起動する転送手段起動ステップと、
前記データフォーマットを変更するためのデータフォーマット変更ステップと、
前記データフォーマット変更ステップにより前記データフォーマットが変更されたか否かを解析するデータフォーマット解析ステップと、
前記データフォーマット解析ステップにより前記データフォーマットが変更されたと解析された場合は、変更された新たな前記データフォーマットに対応する前記転送手段を起動する転送手段再起動ステップと、
を備えることを特徴とする再生方法。
【請求項７】
転送手段により外部機器との間でデータの送受信を行うことができる再生プログラムにおいて、
特定のデータフォーマットに対応する前記転送手段を起動する転送手段起動モジュールと、
前記データフォーマットを変更するためのデータフォーマット変更モジュールと、
前記データフォーマット変更モジュールにより前記データフォーマットが変更されたか否かを解析するデータフォーマット解析モジュールと、
前記データフォーマット解析モジュールにより前記データフォーマットが変更されたと解析された場合は、変更された新たな前記データフォーマットに対応する前記転送手段を起動する転送手段再起動モジュールと、
をコンピュータに実行させることを特徴とする再生プログラム。
【請求項８】
請求項７記載の再生プログラムを格納するコンピュータ読み取り可能な記憶媒体。
【発明の詳細な説明】
【技術分野】
【０００１】
本発明は、動画、静止画データを再生する再生装置及び方法、並びにプログラム及び記憶媒体に関し、特に、デジタルインターフェースを介して外部機器とデータの送受信が可能な再生装置及び方法、並びにプログラム及び記憶媒体に関する。
【背景技術】
【０００２】
現在、デジタルビデオカメラにおいては、ＵＳＢに代表されるデジタルインターフェースが搭載されており、様々な利用目的に応じて撮影した動画、静止画データをＵＳＢ経由でＰＣに転送することが行われている。また、撮影した静止画をＵＳＢ経由でプリンタに接続し、ダイレクトプリントを行うことが可能である。
【０００３】
また、こうしたＰＣやプリンタとの接続を行うために、動画や静止画データの転送手段に関する規格が幾つも提案されている。さらに現行のデジタルビデオカメラにおいては、これら転送手段に関する規格のうち、複数の規格に対応したものが存在している。データフォーマットと転送手段に関する提案はこれまでにもなされている。
【０００４】
特許文献１には、デジタルインターフェースで接続された各アプリケーションにおいて、接続先のアプリケーションに併せてデータフォーマットを変更する技術が記載されている。
【特許文献１】特開２００１−２１６２２６号公報
【発明の開示】
【発明が解決しようとする課題】
【０００５】
上述したように、複数のデータフォーマットと複数の転送手段に対応したデジタルビデオカメラは従来から提案されている。しかし、従来例においては、ＵＳＢケーブルを介して外部機器との間で動画、静止画データのデータ転送を行うために、データフォーマットとデータ転送の目的に応じて転送手段を設定する必要がある。
【０００６】
こうした転送手段の設定は、液晶パネル上でのメニューを操作することにより行う必要があるため、ユーザには煩雑な作業となり、操作性に欠けるという問題があった。
【０００７】
本発明の目的は、転送手段の設定が容易で、操作性に優れる再生装置及び方法、並びにプログラム及び記憶媒体を提供することにある。
【課題を解決するための手段】
【０００８】
上記目的を達成するために、請求項１記載の再生装置は、転送手段により外部機器との間でデータの送受信を行うことができる再生装置において、特定のデータフォーマットに対応する前記転送手段を起動する転送手段起動手段と、前記データフォーマットを変更するためのデータフォーマット変更手段と、前記データフォーマット変更手段により前記データフォーマットが変更されたか否かを解析するデータフォーマット解析手段と、前記データフォーマット解析手段により前記データフォーマットが変更されたと解析された場合は、変更された新たな前記データフォーマットに対応する前記転送手段を起動する転送手段再起動手段とを備えることを特徴とする。
【０００９】
請求項６記載の再生方法は、転送手段により外部機器との間でデータの送受信を行うことができる再生方法において、特定のデータフォーマットに対応する前記転送手段を起動する転送手段起動ステップと、前記データフォーマットを変更するためのデータフォーマット変更ステップと、前記データフォーマット変更ステップにより前記データフォーマットが変更されたか否かを解析するデータフォーマット解析ステップと、前記データフォーマット解析ステップにより前記データフォーマットが変更されたと解析された場合は、変更された新たな前記データフォーマットに対応する前記転送手段を起動する転送手段再起動ステップとを備えることを特徴とする。
【００１０】
請求項７記載の再生プログラムは、転送手段により外部機器との間でデータの送受信を行うことができる再生プログラムにおいて、特定のデータフォーマットに対応する前記転送手段を起動する転送手段起動モジュールと、前記データフォーマットを変更するためのデータフォーマット変更モジュールと、前記データフォーマット変更モジュールにより前記データフォーマットが変更されたか否かを解析するデータフォーマット解析モジュールと、前記データフォーマット解析モジュールにより前記データフォーマットが変更されたと解析された場合は、変更された新たな前記データフォーマットに対応する前記転送手段を起動する転送手段再起動モジュールとをコンピュータに実行させることを特徴とする。
【００１１】
請求項８記載のコンピュータ読み取り可能な記憶媒体は、請求項７記載の再生プログラムを格納する。
【発明の効果】
【００１２】
本発明の再生装置は、特定のデータフォーマットに対応する転送手段を起動する転送手段起動手段と、データフォーマットを変更するためのデータフォーマット変更手段とを備える。また、データフォーマット変更手段によりデータフォーマットが変更されたか否かを解析するデータフォーマット解析手段を備える。また、データフォーマット解析手段によりデータフォーマットが変更されたと解析された場合は、変更された新たなデータフォーマットに対応する転送手段を起動する転送手段再起動手段を備える。
【００１３】
このように、データフォーマットが変更されたと解析された場合は、変更された新たなデータフォーマットに対応する転送手段を起動するので、転送手段の設定が容易で、操作性に優れる。
【発明を実施するための最良の形態】
【００１４】
以下、本発明の実施の形態を図面を参照しながら詳細に説明する。
【００１５】
図１は、本発明の実施の形態に係る再生装置としてのデジタルビデオカメラのブロック構成を概略的に示す図である。
【００１６】
図１において、デジタルビデオカメラは、本体１００、表示部（液晶パネル）１１０、撮像ユニット（レンズ部）１１１、ＤＩＦ部１１２を備える。
【００１７】
本体１００は、撮像制御部１０１、メイン制御部１０２、再生制御部１０３、表示制御部１０４、記録制御部１０５、画像処理部１０６、ＤＩＦ制御部１０７、光磁気ディスク１０８、内部メモリ１０９を備える。
【００１８】
撮像制御部１０１が撮像ユニット１１１を制御し、被写体の動画及び静止画の撮影を行い、撮像ユニット１１１より取り込まれた撮影データを、画像処理部１０６において目的のデータフォーマットに変換する。
【００１９】
このデータフォーマットは、記録制御部１０５によって光磁気ディスク１０８のような書き換え可能な記録媒体上の特定領域にファイル形式のデータとして転送記録される。また、記録したコンテンツを、表示部１１０を用いて再生表示する際には、メイン制御部１０２から指示を受けた記録制御部１０５により光磁気ディスク１０８から取得したデータをメイン制御部１０２で処理する。
【００２０】
そして、メイン制御部１０２は、液晶パネルである表示部１１０への表示データを生成し、その表示データを表示制御部１０４に送る。表示データを受信した表示制御部１０４により、表示部１１０に再生画面が表示される。
【００２１】
また、外部機器との間でデータの送受信を行う際、送信時はメイン制御部１０２において送信用のデータが生成され、そのデータはＤＩＦ制御部１０７へ送られる。送信用データを受信したＤＩＦ制御部１０７は、その送信用データをＤＩＦ部１１２より外部機器に対して送信する。また受信時は、ＤＩＦ部１１２より受信したデータは、ＤＩＦ制御部１０７によりメイン制御部１０２に渡された後、メイン制御部１０２において受信データに従った処理が行われる。
【００２２】
図２は、図１のデジタルビデオカメラの外観を示す図である。
【００２３】
図２において、表示部１１１は、本体１００が記録中には記録動画、又は記録静止画を表示し、逆に本体１００が再生中の時は、再生対象となっている記録済みの動画又は静止画データを表示する。このことにより、撮影者が記録中、再生中の動画像データを確認することが可能となる。また、記録時間やバッテリー残量といった付加情報を表示することで、撮影者に本体１００の状態を通知することが可能である。
【００２４】
撮影者は、電子式ビューファインダ（ＥＶＦ）２０１を用いて撮影や再生を行う際に動画像を確認することが可能である。撮影者はスタート／ストップボタン２０２を押すことにより、本体１００へ記録の開始又は停止を指示することが可能である。
【００２５】
モード切り替えスイッチ２０３により選択することが可能なモードには記録モードと再生モードが用意されており、撮影者はモード切り替えスイッチ２０３を操作することにより、動画像データの記録や観覧を選択できるようになっている。
【００２６】
ズームレバー２０４は、モード切り替えスイッチ２０３が記録モードのポジションにある場合には、記録中の動画像データの広角、望遠を調節することが可能である。また、モード切り替えスイッチ２０３が再生モードのポジションにある場合には、再生対象となっている動画像データの再生ズームを調節したり、インデックス表示画面へ遷移させることが可能である。
【００２７】
操作スイッチ部２０５には、再生系やメニュー操作を行うためのキーが配置されている。ＵＳＢ端子２０６は、ＵＳＢケーブルを介してＰＣと接続することで、光磁気ディスク１０８に記録されているデータを転送する。
【００２８】
また、図３のように、本体１００とプリンタ３０１を、ＵＳＢ端子２０６及びＵＳＢケーブル３０２を介して接続することで、撮影した静止画をダイレクトプリントすることが可能である。
【００２９】
マイク２０７は音声データを記録する。スピーカ２０８は、光磁気ディスク１０８に記録されている動画データを再生する際に、動画データと一緒に記録されている音声データを再生するために用いられる。バッテリー２０９は、デジタルビデオカメラを動作させるために必要な電力が供給される。
【００３０】
本実施の形態では、モード切り替えスイッチ２０３を再生モードへ切り替え操作することにより、光磁気ディスク１０８に記録されている動画、静止画を表示部１１０上で再生するモードへと遷移する。
【００３１】
本実施の形態のデジタルビデオカメラは、再生モードに遷移したときは、規定値として動画再生モードに入るものとする。このとき、表示部１１０上には図４に示すような画面が表示されており、ユーザが希望する動画サムネイルを選択することにより、選択された動画の生成を行うことが可能になる。
【００３２】
図５は、図１のデジタルビデオカメラによって実行される動画再生処理の手順を示すフローチャートである。
【００３３】
本処理は、図１におけるメイン制御部１０２によって実行される。
【００３４】
モード切り替えスイッチ２０３を再生モードへ遷移させることにより、動画再生処理を開始する。
【００３５】
まず、動画再生モードにおいて、ＵＳＢケーブルが接続された際に、動画データをＰＣに転送するために用いる規格であるマスストレージクラス(Mass Strage Class：MSC)の処理を担当するモジュールを起動する（ステップＳ５０１）。
【００３６】
続いて、光磁気ディスク１０８に記録されている動画ファイルのサムネイル画像の生成を行う（ステップＳ５０２）。生成した動画のサムネイル画像をもとに、図４に示すような動画再生用のインデックス表示画面を表示部（液晶パネル）１１０に表示する（ステップＳ５０３）。
【００３７】
ここまでの処理により、動画再生モードにおいてユーザが光磁気ディスク１０８内の動画データを鑑賞することが可能になり、かつ、ＵＳＢケーブルが接続された際には、ＰＣとの間で動画データの転送を行うことが可能になる。
【００３８】
ここで、図４において、動画再生画面に対応したタブ４０１を選択することにより動画再生モードへ遷移する。静止画再生画面に関するタブ４０２を選択することにより静止画再生モードへ遷移する。カーソル４０３により、再生画面中に表示されるタブや動画データに対応したサムネイルを選択することができる。動画データに関するサムネイル画像４０４が選択されることで動画データを再生することができる。
【００３９】
図５において、次に、スユーザに再生画面の変更が要求されているか否かの解析が行われる（ステップＳ５０４）。本実施の形態において、再生画面の変更とは動画再生モードと静止画再生モードの切り替えを意味している。
【００４０】
切り替えのタイミングは、ユーザにより図４に示す再生画面中の静止画に関するタブ４０２が選択されるタイミングである。タブ４０２が選択されたことをトリガとして、ステップＳ５０５へ移行し、再生画面の遷移のための処理を開始する。逆にステップＳ５０４において、再生画面の変更処理が要求されていない場合には、ステップＳ５０４をループすることになる。
【００４１】
次に、動画再生モードにおいて、動画データ転送用に用いられるＭＳＣモジュールを終了させる（ステップＳ５０５）。静止画データをＰＣやプリンタ３０１に転送するための規格であるPicture Transfer Protocol（PTP）の処理を担当するモジュールを起動する（ステップＳ５０６）。
【００４２】
次に、光磁気ディスク１０８に記録されている静止画データのサムネイル画像を生成し（ステップＳ５０７）、生成した静止画のサムネイル画像をもとに、図６に示すような静止画再生用のインデックス表示画面を表示部１１０へ表示する（ステップＳ５０８）。
【００４３】
ここまでの処理により、静止画再生モードにおいてユーザが光磁気ディスク１０８内の静止画データを鑑賞することが可能になる。また、ＵＳＢケーブルが接続された際には、ＰＣへの静止画データの転送や、プリンタ３０１へのダイレクトプリント行うことが可能になる。
【００４４】
ここで、図６において、動画再生画面に対応したタブ６０１を選択することにより動画再生モードへ遷移する。静止画再生画面に関するタブ６０２を選択することにより静止画再生モードへ遷移する。カーソル６０３により、再生画面中に表示されるタブや動画データに対応したサムネイルを選択することができる。静止画データに関するサムネイル画像６０４が選択されることで、静止画の単一表示画面へ遷移することが可能である。
【００４５】
図５において、次に、ユーザに再生画面の変更が要求されているか否かの解析が行われる（ステップＳ５０９）。ここで、再生画面の変更とはステップＳ５０４同様、図６に示す動画再生画面用のタブ６０１が選択されることを意味している。ここで、動画再生画面用のタブ６０１がユーザにより選択された場合には、ステップＳ５１０へ移行する。逆に変更要求がない場合には、ステップＳ５０９をループすることになる。
【００４６】
ステップＳ５１０においては、静止画再生モードで静止画転送用に用いられるＰＴＰモジュールを終了させ、図５の処理を終了する。
【００４７】
以上の処理により、再生画面とデータ転送手段を同期させて変更させることができるため、ユーザは転送手段を意識することなくデジタルビデオカメラを利用することができる。
【００４８】
本実施の形態において、データフォーマット変更手段は、物理的なスイッチ又は表示手段に表示される画面のソフトウェアスイッチである。
【００４９】
また、転送手段は、ＰＴＰ、ＭＳＣ、ＨＴＴＰ、ＦＴＰ、ＭＴＰの何れかである。
【００５０】
また、データフォーマットは、動画及び静止画に関するデータフォーマットである。
【００５１】
また、動画のデータフォーマットは、ＭＰＥＧ、ＡＶＩ形式のデータフォーマットであり、静止画のデータフォーマットは、ＪＰＥＧ、ＲＡＷ形式のデータフォーマットである。
【００５２】
また、本発明の目的は、実施の形態の機能を実現するソフトウェアのプログラムコードを記録した記憶媒体を、システムまたは装置に供給し、そのシステムまたは装置のコンピュータ（またはＣＰＵやＭＰＵ等）が記憶媒体に格納されたプログラムコードを読み出して実行することによっても達成される。
【００５３】
この場合、記憶媒体から読み出されたプログラムコード自体が前述した実施の形態の機能を実現することになり、そのプログラムコード及び該プログラムコードを記憶した記憶媒体は本発明を構成することになる。
【００５４】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００５５】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００５６】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施の形態の機能が実現される場合も含まれる。
【図面の簡単な説明】
【００５７】
【図１】本発明の実施の形態に係る再生装置としてのデジタルビデオカメラのブロック構成を概略的に示す図である。
【図２】図１のデジタルビデオカメラの外観を示す図である。
【図３】図２のデジタルビデオカメラとプリンタとが接続されるダイレクトプリントシステムの構成を概略的に示す図である。
【図４】図２における表示部の動画再生画面を示す図である。
【図５】図１のデジタルビデオカメラによって実行される動画再生処理の手順を示すフローチャートである。
【図６】図２における表示部の静止画再生画面を示す図である。
【符号の説明】
【００５８】
１０１  撮像制御部
１０２  メイン制御部
１０３  再生制御部
１０４  表示制御部
１０５  記録制御部
１０６  画像処理部
１０７  ＤＩＦ制御部
１０８  光磁気ディスク
１０９  内部メモリ
１１０  表示部
１１１  撮像ユニット
１１２  ＤＩＦ部
２０１  電子式ビューファインダ（ＥＶＦ）
２０２  スタート/ストップボタン
２０３  モード切り替えスイッチ
２０４  ズームレバー
２０５  操作スイッチ部
２０６  ＵＳＢ端子マイク
２０７  マイク
２０８  スピーカ
２０９  バッテリー
【図１】
2008148217.tif 000003
【図２】
2008148217.tif 000004
【図３】
2008148217.tif 000005
【図４】
2008148217.tif 000006
【図５】
2008148217.tif 000007
【図６】
2008148217.tif 000008